(57)【要約】【課題】簡単かつコンパクトに構成でき、被搬送物を徐々に減速して確実に搬送できるコンベア設備を提供する。【解決手段】傾斜ローラコンベア２１を、ローラ２５に対して駆動ベルト４０を当接させるベルト駆動形式に構成するとともに、搬送方向において複数に分割し、これら分割コンベア部２１Ａ，２１Ｂを、下流側ほど低速として駆動するように構成した。各分割コンベア部では、駆動ベルトによりローラ群を所定の回転速度で駆動回転させることで、それぞれの搬送速度によって被搬送物を駆動搬送可能にできる。簡単かつコンパクトに構成できるものでありながら、傾斜ローラコンベアでの被搬送物の駆動搬送は、被搬送物の形状や重量などに関係なく、常に所定の速度で衝突させることなく、かつ段階的に減速させて確実に行えるとともに、高速で搬入された被搬送物を所定の速度に徐々に減速でき、以て傾斜ローラコンベアでの被搬送物の駆動搬送を、衝撃を少なくして円滑にかつ損傷させることなく行える。【選択図】図１
2007145455.tif 000002
【特許請求の範囲】
【請求項１】
傾斜ローラコンベアを、ローラに対して駆動ベルトを当接させるベルト駆動形式に構成するとともに、搬送方向において複数に分割し、これら分割コンベア部を、下流側ほど低速として駆動するように構成したことを特徴とするコンベア設備。
【請求項２】
分割コンベア部はそれぞれ駆動手段を有し、下流側ほど低速として各別に駆動するように構成したことを特徴とする請求項１記載のコンベア設備。
【請求項３】
傾斜ローラコンベアは共通の駆動手段を有し、分割コンベア部間を変速連動機構により連動して、下流側ほど低速として駆動するように構成したことを特徴とする請求項１記載のコンベア設備。
【請求項４】
傾斜ローラコンベアは搬送方向において２段に分割し、上手分割コンベア部の搬送速度を下手分割コンベア部の搬送速度に対して、２倍以下の高速に設定したことを特徴とする請求項１〜３のいずれか１項に記載のコンベア設備。
【請求項５】
傾斜ローラコンベアの上手には、主搬送経路上から側部外方に分岐された被搬送物を受け入れる搬入コンベアが配設され、傾斜ローラコンベアの下手には搬出コンベアが配設されていることを特徴とする請求項１〜４のいずれか１項に記載のコンベア設備。
【発明の詳細な説明】
【技術分野】
【０００１】
本発明は、たとえば主搬送経路上で搬送されている被搬送物を、この主搬送経路の側部外方に設けた分岐搬送経路に移す転換設備の前記分岐搬送経路などに採用し得るコンベア設備に関するものである。
【背景技術】
【０００２】
従来、この種のものとしては、次のような構成が提供されている。すなわち、上位の入口部と下位の出口部との間に、第１ローラコンベアとシュートと第２ローラコンベアとが傾斜して配設されている。そして、ローラコンベアの少なくとも一方が、或いはローラコンベアの各々が複数のローラを備え、すなわちローラコンベアは複数のグループにより形成されるとともに、各グループが複数のローラを備え、これらローラが異なる速度で駆動されるように構成されている（たとえば、特許文献１参照。）。
【特許文献１】特開２０００−２５９１９号公報（第３−４頁、図１、図３）
【特許文献２】特開平５−２７８８３３号公報
【特許文献３】特開平５−２７８８３４号公報
【発明の開示】
【発明が解決しようとする課題】
【０００３】
しかし、上記した従来構成によると、各グループのローラを異なる速度で駆動させることで、構造が複雑にかつ大型化することになる。
そこで本発明の請求項１記載の発明は、簡単かつコンパクトに構成し得るものでありながら、被搬送物を徐々に減速して確実に搬送し得るコンベア設備を提供することを目的としたものである。
【課題を解決するための手段】
【０００４】
前述した目的を達成するために、本発明の請求項１記載のコンベア設備は、傾斜ローラコンベアを、ローラに対して駆動ベルトを当接させるベルト駆動形式に構成するとともに、搬送方向において複数に分割し、これら分割コンベア部を、下流側ほど低速として駆動するように構成したことを特徴としたものである。
【０００５】
したがって請求項１の発明によると、傾斜ローラコンベアの各分割コンベア部においては、ローラ群に下方から当接させている駆動ベルトによって、ローラ群を所定の回転速度で駆動回転させて、それぞれの搬送速度によって被搬送物を駆動搬送可能とし得る。この状態で被搬送物を、上流側分割コンベア部のローラ上に移すことにより、この上流側分割コンベア部において、駆動回転しているローラ群によって被搬送物を搬送し得る。その際に上流側分割コンベア部では、搬入した被搬送物にブレーキをかけることになって搬送速度を減速し得、そして、減速した搬送速度で駆動搬送し得る。次いで被搬送物を、上流側分割コンベア部から下流側分割コンベア部へと駆動搬送し得、その際に下流側分割コンベア部においては、上流側分割コンベア部の搬送速度よりも低速の搬送速度に減速して駆動搬送したのち、その終端から搬出し得る。
【０００６】
また本発明の請求項２記載のコンベア設備は、上記した請求項１記載の構成において、分割コンベア部はそれぞれ駆動手段を有し、下流側ほど低速として各別に駆動するように構成したことを特徴としたものである。
【０００７】
したがって請求項２の発明によると、傾斜ローラコンベアの各分割コンベア部においては、それぞれの駆動手段により駆動ベルトを回動して、ローラ群を所定の回転速度で駆動回転させることになり、以て各分割コンベア部においては、それぞれの搬送速度によって被搬送物を駆動搬送し得る。
【０００８】
そして本発明の請求項３記載のコンベア設備は、上記した請求項１記載の構成において、傾斜ローラコンベアは共通の駆動手段を有し、分割コンベア部間を変速連動機構により連動して、下流側ほど低速として駆動するように構成したことを特徴としたものである。
【０００９】
したがって請求項３の発明によると、傾斜ローラコンベアの駆動手段を、複数の分割コンベア部に対して共通化することで、全体構成をより簡素化し得るとともに、安価に提供し得る。
【００１０】
さらに本発明の請求項４記載のコンベア設備は、上記した請求項１〜３のいずれか１項に記載の構成において、傾斜ローラコンベアは搬送方向において２段に分割し、上手分割コンベア部の搬送速度を下手分割コンベア部の搬送速度に対して、２倍以下の高速に設定したことを特徴としたものである。
【００１１】
したがって請求項４の発明によると、傾斜ローラコンベアでの被搬送物の駆動搬送を、衝撃を少なくして円滑にかつ損傷させることなく行えるものでありながら、上流側分割コンベア部から下流側分割コンベア部への駆動搬送の乗り移りを円滑にかつ確実に行えることになる。
【００１２】
しかも本発明の請求項５記載のコンベア設備は、上記した請求項１〜４のいずれか１項に記載の構成において、傾斜ローラコンベアの上手には、主搬送経路上から側部外方に分岐された被搬送物を受け入れる搬入コンベアが配設され、傾斜ローラコンベアの下手には搬出コンベアが配設されていることを特徴としたものである。
【００１３】
したがって請求項５の発明によると、主搬送経路上で搬送してきた被搬送物を、分岐移動させて搬入コンベアに移したのち、この搬入コンベアから傾斜ローラコンベアに移し、そして傾斜ローラコンベアから搬出コンベアへと搬送し得る。
【発明の効果】
【００１４】
上記した本発明の請求項１によると、傾斜ローラコンベアの各分割コンベア部においては、駆動ベルトによりローラ群を所定の回転速度で駆動回転させることで、それぞれの搬送速度によって被搬送物を駆動搬送可能にできる。この状態で被搬送物を、上流側分割コンベア部のローラ上に移すことにより、この上流側分割コンベア部において、駆動回転しているローラ群によって被搬送物を搬送できる。その際に上流側分割コンベア部では、搬入した被搬送物にブレーキをかけることになって搬送速度を減速でき、そして、減速した搬送速度で駆動搬送できることにより、上流側分割コンベア部に高速で搬入した被搬送物を所定の搬送速度に減速して、上流側分割コンベア部で駆動搬送できる。次いで被搬送物を、上流側分割コンベア部から下流側分割コンベア部へと駆動搬送でき、その際に下流側分割コンベア部においては、上流側分割コンベア部の搬送速度よりも低速の搬送速度に減速して駆動搬送したのち、その終端から搬出できる。
【００１５】
以上のように、簡単かつコンパクトに構成できるものでありながら、傾斜ローラコンベアでの被搬送物の駆動搬送は、被搬送物の形状や重量などに関係なく、常に所定の速度で衝突させることなく、かつ段階的に減速させて確実に行うことができるとともに、高速で搬入された被搬送物を所定の速度に徐々に減速でき、以て傾斜ローラコンベアでの被搬送物の駆動搬送を、衝撃を少なくして円滑にかつ損傷させることなく行うことができる。
【００１６】
また上記した本発明の請求項２によると、傾斜ローラコンベアの各分割コンベア部においては、それぞれの駆動手段により駆動ベルトを回動して、ローラ群を所定の回転速度で駆動回転できることになり、以て各分割コンベア部においては、それぞれの搬送速度によって被搬送物を駆動搬送できる。
【００１７】
そして上記した本発明の請求項３によると、傾斜ローラコンベアの駆動手段を、複数の分割コンベア部に対して共通化することで、全体構成をより簡素化できるとともに、より安価に提供できる。
【００１８】
さらに上記した本発明の請求項４によると、傾斜ローラコンベアでの被搬送物の駆動搬送を、衝撃を少なくして円滑にかつ損傷させることなく行うことができるものでありながら、上流側分割コンベア部から下流側分割コンベア部への駆動搬送の乗り移りを円滑にかつ確実に行うことができる。
【００１９】
しかも上記した本発明の請求項５によると、主搬送経路上で搬送してきた被搬送物を、分岐移動させて搬入コンベアに移したのち、この搬入コンベアから傾斜ローラコンベアに移すことができ、そして傾斜ローラコンベアで減速したのち搬出コンベアへと搬送できる。
【発明を実施するための最良の形態】
【００２０】
［実施の形態１］
以下に、本発明の実施の形態１を、たとえば主搬送経路上で搬送されている被搬送物を、この主搬送経路の側部外方に設けた分岐搬送経路に移したりするのに使用される転換設備に採用した状態として、図１〜図６に基づいて説明する。
【００２１】
図２、図３において、転換設備１は、支持体２群を循環移動させることで、始端部の支持体２群上に供給したケース状のコンテナ（被搬送物の一例）Ａを主搬送経路５上で搬送し得るとともに、各支持体２に左右移動自在に設けた横押し体３を、搬送方向に移動しながら主搬送経路５を横切らせることで、横押し体３群をコンテナＡに横押し作用させて、このコンテナＡを、その向きを変えながら、主搬送経路５に対して左右に傾斜状で分岐移動させるように構成されている。
【００２２】
このように分岐移動させたコンテナＡを受け取って分岐搬送経路上で搬送するコンベア設備１０の一例として、主搬送経路５側から順に、分岐コンベア１１と、カーブコンベア（搬入コンベアの一例）１２と、傾斜ローラコンベア２１と、搬出コンベア４１とからなる構成が設けられている。
【００２３】
ここで前記分岐コンベア１１は駆動ローラ形式であって、主搬送経路５側から分岐される始端部を終端部に対して上位とした状態で、後述する傾斜ローラコンベア２１の所定の傾斜角度θと同様（同じ角度、または少し急角度、緩角度）に傾斜して形成されている。またカーブコンベア１２は遊転ローラ形式であって、前記分岐コンベア１１に連なる状態で傾斜して形成されている。そして傾斜ローラコンベア２１は駆動形式であって、前記カーブコンベア１２に連なる状態で所定の傾斜角度θで形成されている。さらに搬出コンベア４１はフリーローラ形式であって、水平状に近い緩やかな傾斜角度θαで配設されている。
【００２４】
図１〜図４において、前記カーブコンベア１２は、左右一対の円弧状フレーム１３と、円弧状フレーム１３間においてコンベア幅方向の３箇所（複数箇所）に配設された円弧状の中間フレーム１４と、前記円弧状フレーム１３における円弧方向の複数箇所に、その長さ方向を円弧中心に向けた状態として配設された外側ローラ１５、ならびに内側ローラ１６などにより構成されている。ここで外側ローラ１５や内側ローラ１６は、円弧状フレーム１３や中間フレーム１４に遊転自在に支持されている。
【００２５】
図１、図４〜図６において、前記傾斜ローラコンベア２１のフレーム本体２２は、傾斜した左右一対のコンベヤフレーム２３と、両コンベヤフレーム２３の下部間に設けられた連結フレーム２４などにより構成されている。両コンベヤフレーム２３間には、長さ方向における複数箇所（多数箇所）に位置されてローラ２５が遊転自在に配設されている。すなわち各ローラ２５は、前記コンベヤフレーム２３に形成された六角孔（または切り欠き部）にローラ軸２６の六角軸部が位置されることで、両コンベヤフレーム２３間で遊転自在に支持されている。これにより、ローラ２５群の上方に傾斜搬送経路２８が形成される。
【００２６】
ここで前記傾斜ローラコンベア２１は、上位で傾斜される上流側分割コンベア部２１Ａと下位で傾斜される下流側分割コンベア部２１Ｂとに、搬送方向において２つ（複数）に分割されている。これら分割コンベア部２１Ａ，２１Ｂは、上流側分割コンベア部２１Ａの方が搬送経路を長くされ、下流側分割コンベア部２１Ｂが低速で駆動されることを除いて、同様に構成されている。そして両分割コンベア部２１Ａ，２１Ｂには、前記フレーム本体２２内でかつ一方のコンベヤフレーム２３側に位置されて、それぞれ駆動手段３１Ａ，３１Ｂが配設されている。
【００２７】
すなわち、ローラ２５群の下方で傾斜搬送経路２８の方向における両端にはそれぞれ反転輪体３２が配設されている。そして、両コンベヤフレーム２３の下部間にボックス状の駆動部フレーム３３が設けられ、この駆動部フレーム３３に減速機付きのモータ３４が搭載されるとともに、モータ３４の出力軸には駆動輪体３５が設けられている。さらにモータ３４の近くにおいて、一方のコンベヤフレーム２３には一対の反転案内輪体３６が設けられるとともに、駆動部フレーム３３には位置調整自在なテンション案内輪体３７が設けられている。また、両反転輪体３２間において、ローラ２５群の下方には多数の上位案内輪体３８が設けられ、そして上位案内輪体３８群の下方には複数の下位案内輪体３９が設けられている。
【００２８】
無端ベルトなどからなる駆動ベルト４０は、両反転輪体３２と上位案内輪体３８群とに亘って上方から掛けられて、前記ローラ２５群に下方から当接して配設されている。そして、下位案内輪体３９群に上方から掛けられるとともに、両反転案内輪体３６、テンション案内輪体３７に掛けられたのち、駆動輪体３５に掛けられることで、回動力が付与される構成になっている。以上の３２〜４０などにより駆動手段３１Ａ，３１Ｂの一例が構成され、そして２１Ａ，２１Ｂ〜４０などにより傾斜ローラコンベア２１の一例が構成される。
【００２９】
このように構成された傾斜ローラコンベア２１は、上流側分割コンベア部２１Ａの搬送速度ＶＡを下流側分割コンベア部２１Ｂの搬送速度ＶＢに対して２倍以下の高速として駆動されるように、すなわち［２ＶＢ＞ＶＡ＞ＶＢ］として駆動されるように、その駆動手段３１Ａ，３１Ｂのモータ３４が設定されている。ここで、たとえば上流側分割コンベア部２１Ａの搬送速度ＶＡが７０〜１２０ｍ／ｍｉｎに対して、下流側分割コンベア部２１Ｂの搬送速度ＶＢが５０〜６０ｍ／ｍｉｎとして設定されている。
【００３０】
前記搬出コンベア４１は、左右一対のコンベアフレーム４２と、コンベアフレーム４２の長さ方向の複数箇所において両コンベアフレーム４２間で遊転自在に支持されたローラ４３などによってフリーローラ形式に構成されている。なお、分岐コンベア１１、カーブコンベア１２、傾斜ローラコンベア２１、搬出コンベア４１などは、脚体４５などを介して床４６上に所定の姿勢（角度など）で配設されている。
【００３１】
以下に、上記した実施の形態１における作用を説明する。
主搬送経路５上で搬送してきたコンテナＡを、その向きを変えながら、主搬送経路５に対して左右に傾斜状で分岐移動させて分岐コンベア１１上に移し得る。そしてコンテナＡを、分岐コンベア１１により駆動搬送してカーブコンベア１２に移し、このカーブコンベア１２によりカーブ経路上で滑走搬送し得る。次いでコンテナＡを、カーブコンベア１２から傾斜ローラコンベア２１に移し、そして傾斜ローラコンベア２１から搬出コンベア５１へと駆動搬送し得る。
【００３２】
すなわち、傾斜ローラコンベア２１の両分割コンベア部２１Ａ，２１Ｂにおいては、それぞれの駆動手段３１Ａ，３１Ｂにおけるモータ３４の駆動により駆動輪体３５を回転させることで、駆動ベルト４０を回動し得る。その際に駆動ベルト４０は、傾斜搬送経路２８の方向での両端部分では反転輪体３２に反転案内され、反転輪体３２間の作用経路部においては上位案内輪体３８群により支持案内され、またリターン経路部においては下位案内輪体３９群により支持案内され、駆動輪体３５の近くでは反転案内輪体３６やテンション案内輪体３７により支持案内される。
【００３３】
図１、図５において、上述したようにして回動させている駆動ベルト４０は、作用経路部において前記ローラ２５群に下方から当接し得、以て駆動ベルト４０によってローラ２５群を、ローラ軸２６の周りに所定の回転速度で駆動回転させることになる。これにより両分割コンベア部２１Ａ，２１Ｂにおいては、それぞれの搬送速度ＶＡ，ＶＢによってコンテナＡを駆動搬送可能とされている。
【００３４】
この状態で、カーブコンベア１２によりカーブ経路上で滑走搬送されてきたコンテナＡを、傾斜ローラコンベア２１における上流側分割コンベア部２１Ａのローラ２５上に移すことにより、この上流側分割コンベア部２１Ａにおいて、駆動回転しているローラ２５群によってコンテナＡを搬送し得る。その際に、主搬送経路５上から分岐移動してカーブコンベア１２で搬送しているコンテナＡの搬送速度ＶＸは、上流側分割コンベア部２１Ａの搬送速度ＶＡよりも高速であり、すなわち［ＶＸ＞ＶＡ］であり、ここでは、たとえば上流側分割コンベア部２１Ａの搬送速度ＶＡが７０〜１２０ｍ／ｍｉｎに対して、カーブコンベア１２の搬送速度ＶＸは１２０〜１８０ｍ／ｍｉｎである。
【００３５】
したがって、カーブコンベア１２から上流側分割コンベア部２１Ａに搬入されたコンテナＡにブレーキをかけることになって、その搬送速度はＶＸからＶＡへと減速されることになる。そして上流側分割コンベア部２１Ａでは、その搬送速度ＶＡで駆動搬送し得る。これにより、上流側分割コンベア部２１Ａに高速で搬入されたコンテナＡを所定の搬送速度ＶＡに減速して、上流側分割コンベア部２１Ａで駆動搬送し得る。
【００３６】
次いでコンテナＡを、上流側分割コンベア部２１Ａから下流側分割コンベア部２１Ｂへと駆動搬送し得、その際に下流側分割コンベア部２１Ｂにおいては、上流側分割コンベア部２１Ａの搬送速度ＶＡよりも低速の搬送速度ＶＢに減速されて駆動搬送し得る。そして、下流側分割コンベア部２１Ｂにおいて滑走搬送させたのち、その終端から搬出コンベア４１に搬送し得ることになる。
【００３７】
以上のように、傾斜ローラコンベア２１（傾斜搬送経路２８）でのコンテナＡの駆動搬送は、コンテナＡの形状や重量などに関係なく、常に所定の速度で衝突させることなく、かつ段階的に減速させて確実に行えるとともに、高速で搬入されたコンテナＡは所定の速度に減速し得、以て傾斜ローラコンベア２１でのコンテナＡの駆動搬送を、衝撃を少なくして円滑にかつ損傷させることなく行えることになる。特に上流側分割コンベア部２１Ａの搬送速度ＶＡを下流側分割コンベア部２１Ｂの搬送速度ＶＢに対して２倍以下の高速として駆動したときには、上流側分割コンベア部２１Ａから下流側分割コンベア部２１ＢへのコンテナＡの乗り移りを円滑にかつ確実に行えることになる。
［実施の形態２］
次に、本発明の実施の形態２を、図７〜図９に基づいて説明する。
【００３８】
上述した実施の形態１が、分割コンベア部２１Ａ，２１Ｂがそれぞれ駆動手段３１Ａ，３１Ｂを有する構成に対して、この実施の形態２では、傾斜ローラコンベア２１は共通の駆動手段を有し、分割コンベア部２１Ａ，２１Ｂ間を変速連動機構により連動して、下流側ほど低速として駆動するように構成している。
【００３９】
すなわち、上流側分割コンベア部２１Ａに対応してのみ駆動手段３１Ａが設けられ、そして上流側分割コンベア部２１Ａにおける下流端の反転輪体３２に一体状として、この反転輪体３２の外径３２Ｄよりも小さな外径５１ｄの伝動輪体部（変速連動機構の一例）５１が設けられ、この伝動輪体部５１に下流側分割コンベア部２１Ｂの駆動ベルト４０が巻回されている。なお、下流側分割コンベア部２１Ｂは、下流端の反転輪体３２、反転案内輪体３６、テンション案内輪体３７、上位案内輪体３８、下位案内輪体３９などを有するが、上流端の反転輪体３２やモータ３４や駆動輪体３５は省略されている。
【００４０】
以下に、上記した実施の形態２における作用を説明する。
カーブコンベア１２から上流側分割コンベア部２１Ａに搬入されたコンテナＡにブレーキをかけることになって、その搬送速度はＶＸからＶＡへと減速されることになる。そして上流側分割コンベア部２１Ａでは、その搬送速度ＶＡで駆動搬送し得る。次いでコンテナＡを、上流側分割コンベア部２１Ａから下流側分割コンベア部２１Ｂへと駆動搬送し得る。その際に下流側分割コンベア部２１Ｂにおいては、反転輪体３２の外径３２Ｄよりも小さな外径５１ｄの伝動輪体部５１を介して駆動ベルト４０が減速駆動されていることから、すなわち、１回転したときの反転輪体３２の外周長さ（ベルト送り長さ）よりも短い伝動輪体部５１の外周長さ（ベルト送り長さ）により駆動ベルト４０が減速駆動されていることから、上流側分割コンベア部２１Ａの搬送速度ＶＡよりも低速の搬送速度ＶＢに減速されて駆動搬送し得る。
【００４１】
このように実施の形態２によると、傾斜ローラコンベア２１の駆動手段を、複数の分割コンベア部２１Ａ，２１Ｂに対して共通化することで、全体構成をより簡素化し得るとともに、安価に提供し得る。
［実施の形態３］
次に、本発明の実施の形態３を、図１０〜図１２に基づいて説明する。
【００４２】
この実施の形態３も、実施の形態２と同様にして、傾斜ローラコンベア２１は共通の駆動手段を有し、分割コンベア部２１Ａ，２１Ｂ間を変速連動機構により連動して、下流側ほど低速として駆動するように構成している。すなわち、分割コンベア部２１Ａ，２１Ｂに対して、駆動ベルト４０を共通とした駆動手段３１を有し、そして上流側分割コンベア部２１Ａにおけるローラ２５に一体状として、このローラ２５の外径２５Ｄよりも小さな外径５２ｄの受動輪体部（変速連動機構の一例）５２が形成され、この受動輪体部５２に駆動ベルト４０が下方から当接されている。
【００４３】
以下に、上記した実施の形態３における作用を説明する。
駆動手段３１の駆動ベルト４０を回動させることで、両分割コンベア部２１Ａ，２１Ｂのローラ２５を回転し得る。その際に、上流側分割コンベア部２１Ａでは小さな外径５２ｄの受動輪体部５２を介して駆動され、そして下流側分割コンベア部２１Ｂでは大きい外径２５Ｄのローラ２５を介して駆動されている。したがって、両分割コンベア部２１Ａ，２１Ｂの各ローラ２５においては、駆動ベルト４０の移動量（移動長さ）に対して回転量（送り長さ）が異なることから、下流側分割コンベア部２１Ｂでは、上流側分割コンベア部２１Ａの搬送速度ＶＡよりも低速の搬送速度ＶＢに減速して駆動搬送し得る。
【００４４】
このように実施の形態３によると、傾斜ローラコンベア２１の駆動手段３１を、複数の分割コンベア部２１Ａ，２１Ｂに対して共通化することで、全体構成をより簡素化し得るとともに、安価に提供し得る。
【００４５】
上記した実施の形態１〜３では、傾斜ローラコンベア２１を、搬送方向において２つに分割した形式が示されているが、これは２つ以上に分割して、下流側ほど低速として回転駆動するように構成した形式などであってもよい。
【００４６】
上記した実施の形態１〜３では、傾斜ローラコンベア２１の上手に、主搬送経路５上から側部外方に分岐されたコンテナＡを受け入れる搬入コンベアが配設され、傾斜ローラコンベアの２１下手には搬出コンベアが配設された形式が示されているが、これは搬入コンベアと搬出コンベアとのいずれか一方または両方を省略した形式や、搬入コンベアと搬出コンベアに代えて別の装置（ロボットなど）を備えた形式などであってもよい。
【００４７】
上記した実施の形態１〜３では、被搬送物としてコンテナＡが示されているが、これは種々な被搬送物に対応し得るものである。
【図面の簡単な説明】
【００４８】
【図１】本発明の実施の形態１を示し、コンベア設備の一部切り欠き側面図である。
【図２】同コンベア設備を組み込んだ転換設備の概略側面図である。
【図３】同コンベア設備を組み込んだ転換設備の概略平面図である。
【図４】同コンベア設備の一部切り欠き平面図である。
【図５】同コンベア設備における傾斜ローラコンベア部分の一部切り欠き側面図である。
【図６】同コンベア設備における傾斜ローラコンベアの要部の縦断正面図である。
【図７】本発明の実施の形態２を示し、コンベア設備の一部切り欠き側面図である。
【図８】同コンベア設備における傾斜ローラコンベア部分の一部切り欠き側面図である。
【図９】同コンベア設備における傾斜ローラコンベアの要部の横断平面図である。
【図１０】本発明の実施の形態３を示し、コンベア設備の一部切り欠き側面図である。
【図１１】同コンベア設備における傾斜ローラコンベア部分の一部切り欠き側面図である。
【図１２】同コンベア設備における傾斜ローラコンベアの要部の横断平面図である。
【符号の説明】
【００４９】
１      転換設備
２      支持体
３      横押し体
５      主搬送経路
１０    コンベア設備
１１    分岐コンベア
１２    カーブコンベア（搬入コンベア）
２１    傾斜ローラコンベア
２１Ａ  上流側分割コンベア部
２１Ｂ  下流側分割コンベア部
２５    ローラ
２５Ｄ  ローラ２５の外径
２８    傾斜搬送経路
３１    駆動手段
３１Ａ  駆動手段
３１Ｂ  駆動手段
３２    反転輪体
３２Ｄ  反転輪体３２の外径
３４    モータ
４０    駆動ベルト
４１    搬出コンベア
５１    伝動輪体部（変速連動機構）
５１ｄ  伝動輪体部５１の外径
５２    受動輪体部（変速連動機構）
５２ｄ  受動輪体部５２の外径
Ａ      コンテナ（被搬送物）
ＶＡ    上流側分割コンベア部２１Ａの搬送速度
ＶＢ    下流側分割コンベア部２１Ｂの搬送速度
ＶＸ    カーブコンベア（搬入コンベア）１２の搬送速度
【図１】
2007145455.tif 000003
【図２】
2007145455.tif 000004
【図３】
2007145455.tif 000005
【図４】
2007145455.tif 000006
【図５】
2007145455.tif 000007
【図６】
2007145455.tif 000008
【図７】
2007145455.tif 000009
【図８】
2007145455.tif 000010
【図９】
2007145455.tif 000011
【図１０】
2007145455.tif 000012
【図１１】
2007145455.tif 000013
【図１２】
2007145455.tif 000014